(57)【要約】【課題】  より寒冷な地域に適した屋根用落雪防止装置の提供【解決手段】  本発明に係る屋根用落雪防止装置は、傾斜屋根の上面において、傾斜屋根の軒先と略平行になるように配設した突条体と、傾斜屋根の上面から突条体の上、軒先にわたって張設した網材とを備えており、突条体が傾斜屋根と網材で囲まれる空間に軒先側から空気が流れ込むのを抑制するようになっていることを特徴とする。【選択図】    図１
2006226030.tif 000002
【特許請求の範囲】
【請求項１】
傾斜屋根の上面において傾斜屋根の軒先と略平行になるように配設した突条体と、
前記傾斜屋根の上面から突条体の上、軒先にわたって張設した網材とを備えた屋根用落雪防止装置において、
前記突条体を、前記傾斜屋根と網材で囲まれる空間に軒先側から空気が流れ込むのを遮断する遮蔽部材で構成したことを特徴とする屋根用落雪防止装置。
【請求項２】
前記突条体は雪解け水を流す流路を備えていることを特徴とする請求項１に記載の屋根用落雪防止装置。
【発明の詳細な説明】
【技術分野】
【０００１】
本発明は家屋などの傾斜屋根に積もった雪の落雪を防止するとともに、つらら及びすがもりの発生を防止する屋根用落雪防止装置に関するものである。
【背景技術】
【０００２】
傾斜屋根に降り積もった雪は集積されて次第に大きな雪塊になり、天候が快復すると太陽の熱や屋内の熱で雪塊の下面が融けて傾斜屋根を滑って軒先から落雪する。このような落雪は、時には軒先の下にある物を壊し、時には通行人に当たるなどの危害を発生させる。このため、一般に傾斜屋根に上面に突起を設けた雪持ち瓦を設置するなどして、落雪が発生するのを防止している。
【０００３】
本発明者らは、既に、斯かる落雪を防止する屋根用落雪防止装置として、傾斜屋根の軒先に網を張ったもの（特許文献１）や、傾斜屋根の軒先に線条体を設置して網を張ったもの（特許文献２）を提案している。
【特許文献１】特開２００３−４９５１３
【特許文献２】特開２００４−８４３７７
【発明の開示】
【発明が解決しようとする課題】
【０００４】
上記特許文献１、２で提案した屋根用落雪防止装置は、傾斜屋根に降り積もった雪が落ちるのを防止することができる。しかし、マイナス２０度程度になるような寒冷地域では、屋根用落雪防止装置により融雪した雪解け水は外気に触れるとすぐに凍るためつららを発生させたり、雪解け水が傾斜屋根の軒先付近で凍結し、昼間に解けた雪解け水を堰止め、軒先部分の屋根瓦の隙間から屋内に浸入する「すがもり」と呼ばれる事象を発生させたりする。先に提案した屋根用落雪防止装置では、これらの事象に対して、十分に対応できない場合があることが想定された。このため斯かる屋根用落雪防止装置にさらなる改良を施し、寒冷地域により適したものを提案する必要がある。
【課題を解決するための手段】
【０００５】
本発明に係る屋根用落雪防止装置は、傾斜屋根の上面において、傾斜屋根の軒先と略平行になるように配設した突条体と、傾斜屋根の上面から突条体の上、軒先にわたって張設した網材とを備えており、突条体を、傾斜屋根と網材で囲まれる空間に軒先側から空気が流れ込むのを遮断する遮蔽部材で構成したことを特徴とする。
【発明の効果】
【０００６】
斯かる屋根用落雪防止装置によれば、突条体は、軒先側において網材を傾斜屋根から持ち上げ、傾斜屋根と網材で囲まれる空間を形成するとともに、軒先側から空気が流れ込むのを抑制する。傾斜屋根に雪が降り積もると、網材も雪で覆われるので、傾斜屋根と網材と突条体とで囲まれた空間には屋内から伝わる暖気がこもる。このため傾斜屋根から伝わる屋内の暖気により溶けた雪解け水が外気に冷やされ難く、すがもりやつららの発生をより効果的に防止することができる。また、突条体は、上記のように空間形成と外気を遮断する機能を備えているとともに、網材の傾斜を傾斜屋根の傾斜より緩やかにし、網材による落雪防止効果をより効果的に発揮させる機能をも兼ね備えている。
【発明を実施するための最良の形態】
【０００７】
以下、本発明の一実施形態に係る屋根用落雪防止装置を図面に基づいて説明する。
【０００８】
この屋根用落雪防止装置１は、図１に示すように、網材２の片面に突条体３を取り付けたものである。
【０００９】
網材２は、所要の長さと幅を備えた略矩形の金網である。本明細書において網材２は図２に示すように傾斜屋根４に設置したときに、傾斜屋根４の傾斜に平行になる方向を「上下方向」とし、傾斜屋根４の軒先に平行になる方向を「幅方向」とする。この網材２は、ワイヤーが互いに上下方向に係合するように構成したひし形金網を採用しており、上下方向に巻き取ることができるようになっている。網材２の上下方向の両側縁には、網目に枠線ワイヤー等の直線材を通し、網材２の型崩れを防止している。また、この実施形態では、網材２に雪の保持機能が良好な２０ｍｍピッチの網材を用いている。
【００１０】
突条体３は、この実施形態では、略矩形断面を有するアルミ成型材・プラスチック成型材・リサイクル木材製の棒材等であり、図示は省略するが、ボルトで取り付けた金具を介して網材２に取り付けている。突条体３の下面（傾斜屋根４に設置する側の側面）には、雪解け水を流す流路を形成する溝３ａを形成している。
【００１１】
この屋根用落雪防止装置１は、傾斜屋根４に設置する前の搬送時や収容時において、この突条体３を芯材にして網材２を突条体３に巻き付けることにより、コンパクトに収納することができる。
【００１２】
この屋根用落雪防止装置１を傾斜屋根４に設置する場合は、図１に示すように、突条体３を傾斜屋根４の上面に、傾斜屋根４の軒先と略平行になるように設置し、傾斜屋根４の上面から突条体３の上、軒先にわたって網材２を所要のテンションを掛けて張設する。なお、詳細図は省略するが、網材２は任意の取付金具８などを用いて傾斜屋根４に取り付けるとよい。
【００１３】
この屋根用落雪防止装置１は、突条体３により、軒先側において網材２を傾斜屋根４から持ち上げられるので、傾斜屋根４と網材２との間に空間５を形成し、網材２の傾斜を傾斜屋根４の傾斜より緩やかになる。図１に示すように、傾斜屋根４に雪６が降り積もると、軒先では雪６が網材２に食い込むこと、および、網材２の傾斜が傾斜屋根４の傾斜より緩やかになっていることにより、落雪をより効果的に防止することができる。
【００１４】
そして、傾斜屋根４と、網材２に降り積もった雪６と、遮蔽部材で構成された突条体３とにより、これらに囲まれた空間５は外気から遮断され、屋内から伝わる熱が空間５内にこもる。斯かる熱により降り積もった雪６は溶けていくがこのとき生じる雪解け水７は傾斜屋根４を伝って流れていく。この屋根用落雪防止装置１によればアルミ成型材・プラスチック成型材・リサイクル木材製の棒材等で構成された突条体３が傾斜屋根４と網材２で囲まれた空間５に軒先側から空気が流れ込むのを遮断するので、傾斜屋根４と網材２で囲まれた空間５内において雪解け水７が凍ることがなく、すがもりが生じるのをより効果的に防止することができる。また、雪解け水７は凍結する程度に冷やされることなく突条体３の下面に形成される隙間から少しずつ流れていくので、つららを形成しにくい。
【００１５】
このように、屋根用落雪防止装置によれば、本発明者らが既に提案している屋根用落雪防止装置の融雪効果と落雪防止効果を維持しつつ、すがもりやつららの発生をより効果的に防止することができる。これにより、従来より寒冷な地域に屋根用落雪防止装置を適用することができる。
【００１６】
以上、本発明の一実施形態に係る屋根用落雪防止装置を説明したが、本発明に係る屋根用落雪防止装置は上記の実施形態に限定されるものではない。
【００１７】
例えば、突条体３の下面に雪解け水を流通させる流路となる溝３ａを形成したものを示した。斯かる実施形態は、平板状の洋瓦、鋼板、カラーベストなどを用いた凹凸の無い傾斜屋根に特に有益なものであるが、湾曲した屋根瓦が用いられ、傾斜屋根に凹凸がある日本瓦屋根などでは、突条体３と屋根との間に突条体３の下面に上記の溝３ａを形成する必要はない。また、突条体３に溝３ａを形成するかわりに、突条体３と傾斜屋根４との間に隙間を形成するためのスペーサーを設置してもよい。
【００１８】
また、突条体３は、傾斜屋根と網材で囲まれた空間に軒先側から空気が流れ込むのを遮断する遮蔽部材で構成されている必要がある。このため、材質は上記実施形態のものに限定されず、また、形状も矩形断面のものを例示したが当然ながらその断面形状に限定されない。また例えば、特許文献２に記載されているような円筒形状でもよく、この場合、円筒形状の線条体としての螺旋状の鋼線材を用い、その軒先側に遮蔽部材としてのカバーを取り付けたり、或いは、螺旋状の鋼線材の中に遮蔽部材としての発泡材などを挿入して、傾斜屋根と網材で囲まれる空間に軒先側から空気が流れ込むのを遮断してもよい。
【００１９】
また、網材は、ひし形金網、厚ネット、溶接金網、クリンプ金網、亀甲金網やエキスパンド金網を採用することができる。また、網材や螺旋状の鋼線材はプラスチック製、樹脂製、化学繊維製、ＦＲＰ製、ゴム製等でも良いが、網材の強度及び耐候性を考慮し、亜鉛メッキ塗装を施した鉄線ワイヤーものが好適である。また、美観上、網材や突条体の色を屋根の色に合わせて選択するとよい。
【００２０】
また、屋根用落雪防止装置の取り付け方法、既に提案済みの屋根用落雪防止装置と同様に、繋止金具などを用いればよく、また突風で網材が煽られないように網材を所定箇所、傾斜屋根に固定しておくと良い。
【００２１】
なお、本発明に係る屋根用落雪防止装置でつららの発生を抑止することができるが、さらに寒冷な気象条件では、つららが発生する場合があるので、これをより効果的に防止するために、軒先部分などに電熱線を配設してもよい。
【図面の簡単な説明】
【００２２】
【図１】本発明の一実施形態に係る屋根用落雪防止装置を示す側面図。
【符号の説明】
【００２３】
１     屋根用落雪防止装置
２     網材
３     突条体
３ａ   溝
４     傾斜屋根
５     傾斜屋根と網材で囲まれた空間
【図１】
2006226030.tif 000003